(57)【要約】【課題】  宝石装身具収納小箱に収納した宝石装身具を装架した台座を、収納小箱の開放動作に連動させて、宝石装身具を被贈呈者に対して印象付ける視覚的効果をもって提示できるように駆動する宝石装身具収納小箱を提供する。【解決手段】  小箱外殻部材２，３を連結したヒンジ部材４には、ほぼ、中央位置に、中央歯車４１を回動自在に設け、その中心からは角柱状のシャフト６２が直立する。宝石装身具を装架するための台座６１を上端に備えた回転ラック稈７７がこのシャフト６２に被せられている。一対のギアシャフト７５，７６を渡して、これらに回転ラック稈７７を噛み合わせるようにする。小箱外殻部材２，３には、内壁にブラケット２a，３a を設けて、プーリー付き歯車５１，５２をその先端で担持して、その歯車を、一対の枠４２，４３の基部の開放部４２a，４３aを通してヒンジ部材４上の中央歯車４１と噛合するようにする。【選択図】図１
2019030577.tif 000002
【特許請求の範囲】
【請求項１】
小箱内部を画成する一対の小箱外殻部材と、
当該一対の小箱外殻部材を、小箱内部を閉鎖し開放する二つの位置の間で回動できるように連結するヒンジ部材と、
当該ヒンジ部材に下端を位置合わせし、小箱内部に配置した、上端で宝石装身具を装架できる宝石装身具台座部材と、
小箱内部を閉鎖し開放する二つの位置の間で小箱外殻部材を回動運動させたとき、宝石装身具は小箱内部の閉鎖時には小箱内壁に対して平行に延伸する姿勢位置と、小箱内部の開放時には、当該小箱内部の閉鎖時より、当該ヒンジ部材から離間した上方にある、小箱の肉厚方向に平行に延伸する姿勢位置との間を変位するように、小箱外殻部材の開閉回動運動に応答して、当該宝石装身具台座部材を駆動する手段と、
を有する宝石装身具収納小箱。
【請求項２】
小箱内部を画成する一対の小箱外殻部材と、
当該一対の小箱外殻部材を、小箱内部を閉鎖し開放する二つの位置の間で回動できるように連結するヒンジ部材と、
当該一対の小箱外殻部材が画成する小箱内部に位置し、上端で、宝石装身具を小箱内部の閉鎖時の姿勢位置に、及び小箱内部の開放時の姿勢位置に、装架できる宝石装身具台座部材と、
当該宝石装身具台座部材を摺動自在に嵌め込んだ円筒状の案内部を有する台座部材案内部材と、
当該案内部に嵌め込まれた宝石装身具台座部材を当該台座部材案内部材に連結する可撓なテープ素子と、
を有する宝石装身具収納小箱であって、
小箱内部を閉鎖し開放する二つの位置の間で小箱外殻部材を回動運動させたとき、その回動運動に応答して、当該テープ素子を介して、当該案内部内の当該宝石装身具台座部材を軸方向及び径方向に駆動させて、上端部分に装架した宝石装身具が小箱内部の閉鎖時の姿勢位置と小箱内部の開放時の姿勢位置との間を変位するようにした宝石装身具収納小箱。
【発明の詳細な説明】
【技術分野】
【０００１】
この発明は、宝石装身具を載置するための台座を内部に有し、宝石装身具を中に収納するための小箱に関わる。
【０００２】
特に、収納した宝石装身具を贈呈する際にその演出効果を高めるために、小箱を開いたとき、これと連動して、宝石装身具を回転して小箱から上昇させることに依って、宝石装身具に印象的な視覚的効果を与える手段をそなえた宝石装身具収納小箱に関わる。
【背景技術】
【０００３】
特許文献１として示す米国特許第９,３７５,０６６号明細書には、図Ａ、１Ｂ及び１Ｃに示したように、リングボックスにリングホルダー１０６を設け、ボックスを開閉するときにリングホルダーを回転させるようにした回転機構１０８を有するリングボックス１００を開示している。この回転機構１０８によって、リングホルダーはリングを、リングボックスの閉鎖時、半開放時、及び開放時に、図９Ａ、９Ｂ及び９Ｃに示されているように、９０度の角度変位位置になるように、回転させる。しかし、この回転機構は、リングホルダーのリングボックスに対する距離を変位させて、リングをリングボックスから離間上昇させないので、このリングボックスは、開放した時、リング被贈呈者に対して印象付ける大きな視覚的効果をもって提示できない。
【０００４】
特許文献２として示す実開平６−３１２６号公報は、透明なカバーを有し、このカバーが閉じられているとき、内部にある宝石が回転する様子が見えるようにした宝石箱を開示しており、これにより、宝石に豪華さと愉しさと、意外性の視覚的効果が与えられると述べられている。宝石のこのカバーが開けられているとき、宝石の回転は停止する。この宝石箱は、宝石箱を開放しても、宝石箱から露呈するような視覚的効果はない。
【０００５】
特許文献３として示す特開平６−２９８２６６号公報は、収容した物品を蓋の開口にともなって、少なくとも部分的に上昇した露出した展示位置に移動させる可動要素を有する小箱を開示している。しかし、この可動素子は、蓋の開閉時に物品を小箱の肉厚方向の軸を中心として回動しないので、閉鎖された小箱から蓋を開口するとき、小箱から露出するような視覚的効果はない。
【０００６】
特許文献４として示す登録実用新案第３２０６１２４号公報には、指輪を収納する指輪ケース１が開示されている。この指輪ケースの左右のケース部材２Ｌ,２Ｒに第一展開部材１０及び指輪３０を支持する第二展開部材２０が取り付けられ、ケース部材を開くと、折り込まれていた第一及び第二展開部材が展開し、指輪３０が９０度回転し、「正面視で指輪のリング部分が円環状をなす状態で相手に見せることができ、男性から女性に婚約指を贈る際にサプライズ要素を加えることができる」と記載がある。しかし、このケースを開くときに、指輪は、回転しても、ケース1の閉鎖位置から離れる方向に、ケースの上方に移動することがない。
【先行技術文献】
【特許文献】
【０００７】
【特許文献１】米国特許第９，３７５，０６６号明細書
【特許文献２】実開平６−３１２６号公報
【特許文献３】特開平６−２９８２６６号公報
【特許文献４】登録実用新案第３２０６１２４号公報
【発明の概要】
【発明が解決しようとする課題】
【０００８】
宝石装身具は、通常、それを収納する小箱に収納して、保管し、運搬するが、例えば、婚約指輪を小箱に収納し、保管し、運搬して、これを婚約のために贈呈する場合、婚約指輪を収納したままで小箱とともに婚約指輪を被贈呈者に対して、贈呈するのが通常である。この場合、収納されている婚約指輪を被贈呈者に提示するために、小箱を開放して単に指で小箱内部の台座から取り外して、提示して贈呈するのは、贈呈者の、例えば、婚約の印として贈呈する思いにふさわしくないかもしれない。婚約指輪の贈呈時に、小箱を開放することに連動して、婚約指輪などの宝石装身具が開放した小箱から、旋回しながら上昇するという、被贈呈者に印象深い視覚的効果で提示されれば、贈答者の思いを容易に伝えることが出来る。
【０００９】
宝石装身具収納小箱に収納した宝石装身具を装架した台座を、収納小箱の開放動作に連動させて、宝石装身具を被贈呈者に対して印象付ける視覚的効果をもって提示できるように駆動する宝石装身具収納小箱を提供することを課題とする。
【課題を解決するための手段】
【００１０】
この発明によると、宝石装身具の小箱は、小箱内部を形成する一対の小箱外殻体と、当該外殻体を一側で相互にヒンジ結合させるヒンジ部材と、小箱内部に収納した宝石装身具を装架する台座と、外殻体の開閉運動に連動して当該台座を駆動させて該宝石装身具を上昇させるとともに、小箱の閉鎖時の小箱内壁にその長手側面が隣接してほぼ平行となっている宝石装身具の収納位置姿勢から、小箱の開放時の小箱内壁から離間した当該収納位置姿勢からほぼ９０度旋回した露出位置姿勢へと宝石装身具を遷移させるようにした手段とを備える。
【発明の効果】
【００１１】
この発明による宝石装身具収納小箱は、小箱開放時に、宝石装身具の台座を駆動させる手段によって、宝石装身具を小箱内壁から離間し収納位置姿勢から９０度角度変位した露出位置姿勢まで上昇させる。宝石装身具は、開放される小箱内部から、旋回しながら、小箱内壁から離れた露出位置姿勢へ上昇移動するので、被贈呈者に対する贈呈の印象を高める視覚的効果で、この開放した小箱から提示される。
【００１２】
さらに、この発明による宝石装身具収納小箱は、この宝石装身具収納小箱が開放した時の小箱内壁から離間した露出位置姿勢では、宝石装身具は、旋回動作に伴って被贈呈者に対してその正面が見えるようにすることができ、これによって、被贈呈者への贈呈の印象を高めることができる。
【００１３】
さらに、この発明による宝石装身具収納小箱は、収納した宝石装身具の台座を小箱の開閉運動に連動して駆動させる手段を設けているので、小箱が閉鎖しているとき収納されている宝石装身具は、その長手側面が、収納小箱外殻部材の内壁にほぼ平行方向に延伸し、かつ近接した姿勢位置を占めることができる。その結果、小箱は、肉厚方向において、寸法を最小にでき、宝石装身具収納小箱全体の外観をスリムにできる。
【図面の簡単な説明】
【００１４】
【図１】この発明による実施例１の分解図。
【図２】小箱内部の閉鎖時の実施例１の一部透視斜視図。
【図３】小箱内部の半開放時の実施例１の斜視図。
【図４】小箱内部の全開放時の実施例１の斜視図。
【図５】この発明による実施例２の分解図。
【図６】小箱内部の閉鎖時の実施例２の一部透視斜視図。
【図７】小箱内部の半開放時の実施例２の斜視図。
【図８】小箱内部の全開放時の実施例２の斜視図。
【図９】実施例２の主要部品の相関関係を、Ａ，Ｂ，Ｃのそれぞれ異なる動作状態で示す模式図。
【図１０】実施例２の主要部品の別の相関関係、Ａ及びＢのそれぞれ異なる動作状態で示す模式図。
【発明を実施するための形態】
【００１５】
以下、図面を参照してこの発明に係る宝石装身具収納小箱の実施例１及び２を説明する。
【実施例１】
【００１６】
この発明の実施例１は、添付の図１ないし５に示されている。
【００１７】
宝石装身具を収納する宝石装身具収納小箱１は、小箱内部を画成する1対の小箱外殻部材２，３と、それらの小箱外殻部材をそれらの一側で結合するヒンジ部材４とから概してなる。このヒンジ部材４は、図１に示すように長手方向に沿う一側縁が開放された鞘状ないし円筒状をなし、その両端部において一対の小箱外殻部材２，３にヒンジ結合している。
【００１８】
図１に明確に示されるように、当該ヒンジ部材４には、ほぼ、中央位置に、中央歯車４１を回動自在に設け、その中心からはそれと一体をなす角柱状のシャフト６２が直立する。指輪などの宝石装身具を装架するための台座６１を上端に備えた回転ラック稈７７がこのシャフト６２に被せられている。回転ラック稈７７は、シャフト６２に対してスラスト方向には移動可能であり、径方向には、シャフト６２に対して固定されるよう、その嵌合する内孔が角柱状をなす。該台座６１及びシャフト６２により宝石装身具を装架できる宝石装身具台座部材を構成する。
【００１９】
一対の枠４２，４３は、その基部をヒンジ部材４上に固着し、中央歯車４１とシャフト６２と回転ラック稈７７を挟む位置に設ける。枠４２，４３には、その上端に一対のギアシャフト７５，７６を渡して、これらに回転ラック稈７７を噛み合わせるようにする。
【００２０】
小箱外殻部材２，３には、内壁に固着したブラケット２a，３a を設けて、プーリー付き歯車５１，５２をその先端で担持して、その歯車を、当該一対の枠４２，４３の基部の開放部４２a，４３aを通してヒンジ部材４上の中央歯車４１と噛合するようにする。
【００２１】
枠４２，４３の上端のギアシャフト７５，７６は、それぞれ、枠４２，４３を貫通した軸に固着したプーリー７３，７４を有し、これらのプーリー７３，７４は、プーリー付き歯車５１，５２からそれぞれひきまわされた伝動ベルト７１，７２に係合している。
【００２２】
以上の構成により、宝石装身具は小箱内部の閉鎖時には小箱内壁に対して平行に延伸する姿勢位置と、小箱内部の開放時には、当該小箱内部の閉鎖時より、当該ヒンジから離間した上方にある、小箱の肉厚方向に平行に延伸する姿勢位置との間を変位するように、小箱外殻部材の開閉回動運動に応答して、当該宝石装身具台座部材を駆動することが出来る。
【００２３】
図２において、宝石装身具の例として指輪が破線で示され、その指輪を装架した台座６１は、図２に示すように、小箱が閉じているとき、側面が、小箱外殻部材２，３の内壁に平行した位置姿勢に指輪を位置づけている。この閉じた位置から小箱外殻部材２，３を開いていくと、小箱外殻部材２，３に着けられたブラケット２a,３aのプーリー付き歯車５１，５２は、ヒンジ部材４の中央歯車４１を回動させ、それと一体のシャフト６２を通して、回転ラック稈７７を自軸の周りで回動させるとともに、伝動ベルト７１，７２を介してギアシャフト７５，７６を回動させて、回転ラック稈７７をスラスト方向に押し上げる。よって、台座６１は、すなわち、それに装架した指輪も、小箱外殻部材２，３の内壁から図３に示すように離間上昇し、指輪は小箱の肉厚方向に平行に延伸する図４の姿勢位置に至るまで旋回しながら遷移する。もちろん、図４から図３を通して図２に至る小箱閉鎖時も、今説明したのと逆の作動が起きる。
【実施例２】
【００２４】
実施例２は、実施例1と同一または類似の部材については同一の参照番号を付して、図５ないし９に示される。
【００２５】
実施例２による宝石装身具収納小箱１において、台座部材６は、宝石装身具として図５に破線で示す指輪を支持する台座６１と、当該台座６１を上端に設け、下端近傍に貫通孔６３を有する円柱形のステー６０とからなる。当該貫通孔６３はその開口６３a，６３b をほぼ１８０度径方向に離間した円周位置に有する。台座部材６は、そのステー６０をヒンジ部材４に基部を固定したほぼ断面矩形状の中空案内部材５の内部に形成された円筒状の案内部内に摺動自在に遊嵌挿通し、小箱外殻部材２，３がヒンジ部材４で結合される一側の対向側に向かって延伸する。該中空案内部材５は、台座部材案内部材を構成する。
【００２６】
中空案内部材５は、図５の分解図に明確に示されるように、その矩形一側の壁の上端及び下端近傍にそれぞれ開口５３，５４を設けて有する。突起８１を有するスライダー７をその矩形状の内孔をこの中空案内部材５の外側に遊嵌して、該案内部材５に対して相対的に回転することなくスライド可能とし、当該突起８１が開口５３，５４が存在する中空案内部材５の側壁と同じ側にあるように組み合わせる。スライダー７は、小箱外殻部材２，３に連結稈８２，８３によって連結されている。連結稈８２，８３は、一端を外殻部材２，３の内壁に固着されたブラケット２１，３１に、他端をスライダー７の突起８１に係合される。
【００２７】
可撓なテープ素子をなす駆動テープ１０は、分解図を示す図５に示すように、スライダー７の突起８１に係合した環１１を有し、環１１から、中空案内部材５の外側から、当該中空案内部材５の開口５３を通して、中空案内部材５の内側に延伸し、台座部材６のステー６０の貫通孔６３内を開口６３aから開口６３bへと貫通し、中空案内部材５の開口５４を通して当該中空案内部材５の外に至り、環１１に達する。
【００２８】
上記のような構成によって、実施例２は、実施例１とまったく同一の効果、目的を達成できる。
【００２９】
この小箱が閉じている状態を示す図６では図示を省略してあるが、台座６１は実施例１の図２で示すように宝石装身具としての指輪を支持していて、その指輪の側面が、小箱外殻部材２，３の内壁に平行した位置姿勢に指輪を位置づけている。この位置では、小箱外殻部材２，３のブラケット２１，３１は相互に最接近しており、スライダー７の突起８１に係合した連結稈８２，８３は立ち上がり、スライダー７は最上方位置に位置する。
【００３０】
図６に示されように、小箱が閉鎖し、指輪が小箱外殻部材２，３の内壁に平行な位置姿勢に台座６１によって位置づけられているときの、台座６１のステー６０、当該ステー６０の中空案内部材５および駆動テープ１０の作動の相関関係を、図９のＡにより模式的に示す。
【００３１】
この閉じた位置からヒンジ部材４を中心に小箱外殻部材２，３を開いていくと、連結稈８２，８３が開いていき、スライダー７の突起８１を引っ張り下げ、突起８１に係合する環１１により、駆動テープ１０は、中空案内部材５の外側を下方に引っ張られる。開口５３からステー６０の貫通孔６３の開口６３a間に走る駆動テープ１０は、開口６３aの角面に摩擦係合し、その距離を図９のＣに示すように最小とするまで、貫通孔６３の開口６３aを開口５３の近傍まで引き寄せる。開口５３は、台座６１が貫通孔６３の開口６３aの上方にあるばかりではなく、貫通孔６３の開口６３aに対して角度位相が異なる場所にあるので、ステー６０には、これによって、単に直線的に上昇するだけではなく、ほぼ、９０度まで反時計方向に旋回しながら、上昇する。駆動テープ１０による開口６３aの角面の移動軌跡は、図９のＡにおける開口６３aから開口５３までの駆動テープ１０とほぼ同一である。図９のＢは、その途中の状態を示す。
【００３２】
また、図９のＣの小箱が開放した時の宝石装身具が小箱内壁から離間した露出位置姿勢から、図９のＢの小箱が半開放の時の中間的な位置姿勢を経て、図９Ａの収納位置姿勢に戻る時は、駆動テープ１０は、貫通孔６３の開口６３bの角面との摩擦係合によって、この開口６３bが開口５２ともっとも接近するまで、台座ステー６０を引き下げて、下方であって、かつ、角度も元の角度の位置姿勢となるようにできる。
【００３３】
台座の旋回する方向を、時計方向にするためには、図１０のＡ，Ｂに示すように、駆動テープ１０の、ステー６０に対する貫通孔６３における係合方向を、図９とは逆にすればよいので、全く同一の部品で、簡単に、宝石装身具の旋回方向を変えることができる。
【符号の説明】
【００３４】
１            宝石装身具収納小箱
２            小箱外殻部材
２a            ブラケット
３            小箱外殻部材
３a            ブラケット
４            ヒンジ部材
５            中空案内部材
６            台座部材
７            スライダー
１０            駆動テープ
１１            環
２１            ブラケット
３１            ブラケット
４１            中央歯車
４２            枠
４２a            枠の基部の開放部
４３            枠
４３a            枠の基部の開放部
５１            歯車
５３            開口
５２            歯車
５４            開口
６１            台座
６２            シャフト
６０            ステー
６３            貫通孔
６３a            開口
６３b            開口
７１            伝動ベルト
８１            突起
７２            伝動ベルト
７３            プーリー
７４            プーリー
７５            ギアシャフト
７６            ギアシャフト
７７            回転ラック稈
８２            連結稈
８３            連結稈
【図１】
2019030577.tif 000003
【図２】
2019030577.tif 000004
【図３】
2019030577.tif 000005
【図４】
2019030577.tif 000006
【図５】
2019030577.tif 000007
【図６】
2019030577.tif 000008
【図７】
2019030577.tif 000009
【図８】
2019030577.tif 000010
【図９】
2019030577.tif 000011
【図１０】
2019030577.tif 000012